(57)【要約】【課題】外部装置に接続するためのインターフェースを備える通信装置のような装置の動作モードを切り換えることにより、接続された外部装置からプログラムを取り込む。【解決手段】パソコン１と接続するＤＴＥインターフェース部１１と、通信回線１００と接続する回線インターフェース部１３と、通信装置を動作させる制御プログラムを保持している不揮発性メモリ１４と、前記不揮発性メモリから前記制御プログラムを読み出して実行することにより前記ＤＴＥインターフェース部および前記回線インターフェース部を介して前記パソコンおよび前記通信回線の間で情報を送受させる制御部１２と、前記制御プログラムを変更するとき外部から前記ＤＴＥインターフェース部を経由して新たな制御プログラムを受信しそれを前記不揮発性メモリに書き込むことを前記制御部に指示するプログラム書き換えモード起動手段１５と有する。【選択図】      図１
2005182620.tif 000002
【特許請求の範囲】
【請求項１】
情報処理装置と通信回線との間に介在し情報を送受する経路を構成する通信装置において、前記情報処理装置と接続するＤＴＥインターフェース部と、前記通信回線と接続する回線インターフェース部と、前記通信装置を動作させる制御プログラムを保持している不揮発性メモリと、前記不揮発性メモリから前記制御プログラムを読み出して実行することにより前記ＤＴＥインターフェース部および前記回線インターフェース部を介して前記情報処理装置および前記通信回線の間で情報を送受させる制御部と、前記制御プログラムを変更するとき外部から前記ＤＴＥインターフェース部を経由して新たな制御プログラムを受信しそれを前記不揮発性メモリに書き込むことを前記制御部に指示するプログラム書き換えモード起動手段と有することを特徴とするプログラム複写機能付き通信装置。
【請求項２】
前記ＤＴＥインターフェース部は、前記情報処理装置と情報を送受するＲＳ−２３２Ｃインターフェースを具備することを特徴とする請求項１記載のプログラム複写機能付き通信装置。
【請求項３】
前記不揮発性メモリは、システム運用時には読み出し専用メモリとして使用し、システム更新時には電気的書き換え可能メモリとして使用するフラッシュメモリであることを特徴とする請求項１または２記載のプログラム複写機能付き通信装置。
【請求項４】
前記プログラム書き換えモード起動手段は、前記通信装置の通常運用を行うモードで起動するか、あるいは前記通信装置の制御プログラムの変更を行うモードで起動するかのいずれかを示す信号を前記制御部に送出することを特徴とする請求項１，２，または３記載のプログラム複写機能付き通信装置。
【請求項５】
情報処理装置と通信回線との間に介在し情報を送受する経路を構成する通信装置を動作させる制御プログラムを変更するとき、前記通信装置をプログラム書き換えモードに設定して起動し、前記通信装置のＤＴＥインターフェース部に接続した外部装置から新たな制御プログラムを取り込み、前記新たな制御プログラムを前記通信装置の不揮発性メモリに書き込むことを特徴とするプログラム複写方法。
【請求項６】
前記外部装置は、前記通信装置と同一の機能を備える第二の通信装置であり、前記第二の通信装置の不揮発性メモリは新たな制御プログラムを保持しており、前記通信装置は前記新たな制御プログラムを前記第二の通信装置の不揮発性メモリから取り込むことを特徴とする請求項５記載のプログラム複写方法。
【発明の詳細な説明】
【技術分野】
【０００１】
本発明はプログラム複写機能付き通信装置およびプログラム複写方法に関し、特に同一機能の通信装置を多数生産する際に活用されるプログラム複写機能付き通信装置およびプログラム複写方法に関する。
【背景技術】
【０００２】
外部から装置のプログラムをダウンロードする機能は、装置の生産現場においては必須項目である。たとえば、図３において、プログラム処理装置４０はＣＰＵ４１の制御の下に外部インターフェース部４２を介して外部モジュール４４から不揮発性メモリ４３にプログラムをダウンロードする。この方法では、プログラム書き換えのための治具として外部モジュール４４を必要とする（たとえば、特許文献１参照。）。
【０００３】
したがって、上記の方法では、プログラム書き換えラインの数だけ外部モジュール４４を必要とし、ライン数が大量になると外部モジュール４４を用意するための費用や納期が重要な問題点となる。
【０００４】
【特許文献１】特開２００１−６７２２７号公報（第５〜７頁，図１）
【発明の開示】
【発明が解決しようとする課題】
【０００５】
上記のように、従来のプログラムダウンロードの方法では、装置の大量生産現場ではプログラム書き換えラインの数だけ外部モジュールの数を必要とする。特に短期間に大量生産を必要とする通信装置の場合には、生産設備にかかわる費用や納期に関して重要課題となることが多い。
【０００６】
本発明の目的は、上記のような問題点を改善するために、外部装置に接続するためのインターフェースを備える通信装置のような装置の動作モードを切り換えることにより、接続された外部装置からプログラムを取り込むことができるプログラム複写機能付き通信装置およびプログラム複写方法を提供することにある。
【課題を解決するための手段】
【０００７】
本発明のプログラム複写機能付き通信装置は、情報処理装置と通信回線との間に介在し情報を送受する経路を構成する通信装置において、前記情報処理装置と接続するＤＴＥインターフェース部と、前記通信回線と接続する回線インターフェース部と、前記通信装置を動作させる制御プログラムを保持している不揮発性メモリと、前記不揮発性メモリから前記制御プログラムを読み出して実行することにより前記ＤＴＥインターフェース部および前記回線インターフェース部を介して前記情報処理装置および前記通信回線の間で情報を送受させる制御部と、前記制御プログラムを変更するとき外部から前記ＤＴＥインターフェース部を経由して新たな制御プログラムを受信しそれを前記不揮発性メモリに書き込むことを前記制御部に指示するプログラム書き換えモード起動手段と有することを特徴とする。
【０００８】
さらに、本発明のプログラム複写機能付き通信装置において、前記ＤＴＥインターフェース部は、前記情報処理装置と情報を送受するＲＳ−２３２Ｃインターフェースを具備することを特徴とする。
【０００９】
さらに、本発明のプログラム複写機能付き通信装置において、前記不揮発性メモリは、システム運用時には読み出し専用メモリとして使用し、システム更新時には電気的書き換え可能メモリとして使用するフラッシュメモリであることを特徴とする。
【００１０】
さらに、本発明のプログラム複写機能付き通信装置において、前記プログラム書き換えモード起動手段は、前記通信装置の通常運用を行うモードで起動するか、あるいは前記通信装置の制御プログラムの変更を行うモードで起動するかのいずれかを示す信号を前記制御部に送出することを特徴とする。
また、本発明のプログラム複写方法は、情報処理装置と通信回線との間に介在し情報を送受する経路を構成する通信装置を動作させる制御プログラムを変更するとき、前記通信装置をプログラム書き換えモードに設定して起動し、前記通信装置のＤＴＥインターフェース部に接続した外部装置から新たな制御プログラムを取り込み、前記新たな制御プログラムを前記通信装置の不揮発性メモリに書き込むことを特徴とする。
【００１１】
さらに、本発明のプログラム複写方法において、前記外部装置は、前記通信装置と同一の機能を備える第二の通信装置であり、前記第二の通信装置の不揮発性メモリは新たな制御プログラムを保持しており、前記通信装置は前記新たな制御プログラムを前記第二の通信装置の不揮発性メモリから取り込むことを特徴とする。
【００１２】
すなわち、本発明によれば、外部インターフェースを有する通信装置において、同一機種の装置同士２台をケーブル等で接続することで一方の通信装置のプログラムをもう一方に複写できる。
【発明の効果】
【００１３】
以上、詳細に説明したように、本発明によれば、特別なプログラム書き換え装置やプログラム書き換え用パソコンを用意することなく複数の同一機種装置が有ればプログラムが複写できるので、生産現場等で製造時に大量のプログラムを書き換える際に特別な設備を用意する必要がないという効果がある。
【発明を実施するための最良の形態】
【００１４】
以下、本発明について図面を参照しながら説明する。
【００１５】
図１は、本発明の実施の一形態を示す説明図である。同図において、本発明によるプログラム複写機能付き通信装置１０は、情報処理装置（パソコン１）と通信回線１００との間に介在し情報を送受する経路を構成する通信装置において、前記情報処理装置と接続するＤＴＥインターフェース部１１と、前記通信回線と接続する回線インターフェース部１３と、前記通信装置を動作させる制御プログラムを保持している不揮発性メモリ１４と、前記不揮発性メモリから前記制御プログラムを読み出して実行することにより前記ＤＴＥインターフェース部および前記回線インターフェース部を介して前記情報処理装置および前記通信回線の間で情報を送受させる制御部１２と、前記制御プログラムを変更するとき外部から前記ＤＴＥインターフェース部を経由して新たな制御プログラムを受信しそれを前記不揮発性メモリに書き込むことを前記制御部に指示するプログラム書き換えモード起動手段１５と有する。
【００１６】
上記の通信装置１０は、パソコン１と通信回線１００を使用してデータ通信をするための装置であり、パソコン１とＲＳ−２３２Ｃケーブルで接続するためのＲＳ−２３２Ｃコネクタと、通信回線１００とケーブルで接続するための回線インターフェースを有する。
【００１７】
そして、通信装置１０は、接続しているパソコン１から制御されることにより、発着信の起動およびデータ送受信をとり行うことができる。さらに、通信装置１０は通信回線１００に接続され、インターネットアクセスポイント等に接続される。
【００１８】
通信装置１０において、ＤＴＥインターフェース部１１は、パソコン１との接続インターフェース機能を持ち、ＲＳ−２３２Ｃインターフェースを有する。回線インターフェース部１３は、通信回線１００とのデータ送受信を行う。不揮発性メモリ１４には通信装置のプログラムが記録されている。これらを制御するのが制御部１２である。プログラム書き換えモード起動手段１５は通信装置が通常使用のモードで起動するかプログラム書き換えモードで起動するかを判定する信号を制御部１２に供給する。
【００１９】
なお、不揮発性メモリ１４は、通常、電気的に書き換え可能なＲＯＭ、すなわちフラッシュメモリ（ＦＲＯＭ）で構成される。また、プログラム書き換えモード起動手段１５は、スイッチなどで実現できる。
【００２０】
図２は、プログラム複写の動作を示す説明図である。同図において、第１の通信装置２０は、ＤＴＥインターフェース部２１，制御部２２，回線インターフェース部２３，不揮発性メモリ２４，およびプログラム書き換えモード起動手段２５から構成され、同様に第２の通信装置３０は、ＤＴＥインターフェース部３１，制御部３２，回線インターフェース部３３，不揮発性メモリ３４，およびプログラム書き換えモード起動手段３５から構成される。ここで、第１の通信装置２０および第２の通信装置３０は、それぞれのＤＴＥインターフェース部で接続されている。
【００２１】
第１の通信装置２０のプログラムを書き換える場合、プログラム書き換えモード起動手段２５により制御部２２をプログラム書き換えモードにする。制御部２２はＤＴＥインターフェース部２１を通して第２の通信装置３０に書き換えプログラムの転送を要求する。第２の通信装置３０では、制御部３２がＤＴＥインターフェイス３１を通してプログラムの転送要求を受け取ると、不揮発性メモリ３４の内容をＤＴＥインターフェース３１から出力する。そして第１の通信装置２０では、制御部２２がＤＴＥインターフェース２１を通して不揮発性メモリ３４の内容を受け取ると、それを不揮発性メモリ２４に書き込む。
【００２２】
なお、上記においては、本発明の通信装置で具体化する実施例について説明したが、通信装置に限らず、外部装置に接続するためのインターフェースを有する装置であれば、本発明を適用することができる。
【産業上の利用可能性】
【００２３】
変更後のプログラムを保持した装置からそれと同一の装置へそのプログラムを取り込むことができるので、同一の装置を大量生産する場合に、同一プログラムを各装置に格納するとき、特別な設備を必要としない。したがって、本発明を適用することによって、生産コストの大幅な削減を期待することができるので、産業上、利用される可能性は高い。
【図面の簡単な説明】
【００２４】
【図１】本発明の実施の一形態を示す説明図。
【図２】プログラム複写方法の例を示す説明図。
【図３】従来のプログラム処理装置の例を示す説明図。
【符号の説明】
【００２５】
１    パソコン
１０    通信装置
１１，２１，３１    ＤＴＥインターフェース部
１２，２２，３２    制御部
１３，２３，３３    回線インターフェース部
１４，２４，３４，４３    不揮発性メモリ
１５，２５，３５    プログラム書き換えモード起動手段
２０    第１の通信装置
３０    第２の通信装置
４０    プログラム処理装置
４１    ＣＰＵ
４２    外部インターフェース部
４４    外部モジュール
１００    通信回線
【図１】
2005182620.tif 000003
【図２】
2005182620.tif 000004
【図３】
2005182620.tif 000005